(57)【要約】【課題】異なるＲＡＴを指定する複数のＲＡＴ優先度情報を受信した場合であっても、適切なＲＡＴのセルにおいて待ち受けを行う或いは通信することができる。【解決手段】本発明に係る移動局ＵＥは、第１ＲＡＴ優先度情報を記憶する記憶部２３と、無線基地局から第２ＲＡＴ優先度情報及びＲＡＴ指示情報を受信する受信部１３と、第１ＲＡＴ優先度情報によって指定されている第１ＲＡＴと第２ＲＡＴ優先度情報によって指定されている第２ＲＡＴとが異なる場合で、かつ、第１ＲＡＴとＲＡＴ指示情報によって指定されている第３ＲＡＴとが一致する場合、第２ＲＡＴのセルにおいて待ち受けを行う待ち受け処理部１２と、第１ＲＡＴと第２ＲＡＴとが異なる場合で、かつ、第１ＲＡＴと第３ＲＡＴとが一致する場合、第１ＲＡＴに在圏していると表示する表示部３１とを具備する。【選択図】図３
2010028238.tif 000002
【特許請求の範囲】
【請求項１】
第１無線アクセス技術優先度情報を記憶するように構成されている記憶部と、
無線基地局から第２無線アクセス技術優先度情報及び無線アクセス技術指示情報を受信するように構成されている受信部と、
前記第１無線アクセス技術優先度情報によって指定されている第１無線アクセス技術と前記第２無線アクセス技術優先度情報によって指定されている第２無線アクセス技術とが異なる場合で、かつ、該第１無線アクセス技術と前記無線アクセス技術指示情報によって指定されている第３無線アクセス技術とが一致する場合、該第２無線アクセス技術のセルにおいて待ち受けを行うように構成されている待ち受け処理部と、
前記第１無線アクセス技術と前記第２無線アクセス技術とが異なる場合で、かつ、該第１無線アクセス技術と前記第３無線アクセス技術とが一致する場合、該第１無線アクセス技術において待ち受けを行っていると表示するように構成されている表示部とを具備することを特徴とする移動局。
【請求項２】
前記待ち受け処理部は、前記第１無線アクセス技術と前記第２無線アクセス技術とが異なる場合で、該第１無線アクセス技術と前記第３無線アクセス技術とが一致する場合で、かつ、該第２無線アクセス技術に対応する移動通信システムが使用不能でない場合に、該第２無線アクセス技術のセルにおいて待ち受けを行うように構成されていることを特徴とする請求項１に記載の移動局。
【請求項３】
前記受信部は、報知情報或いは個別シグナリング情報を介して、前記第２無線アクセス技術優先度情報及び前記無線アクセス技術指示情報を受信するように構成されていることを特徴とする請求項１に記載の移動局。
【請求項４】
前記記憶部は、交換局からの指示或いはユーザによる指示に基づいて、前記第１無線アクセス技術優先度情報を記憶するように構成されていることを特徴とする請求項１に記載の移動局。
【請求項５】
第１無線アクセス技術優先度情報を記憶している移動局に対して、第２無線アクセス技術優先度情報及び無線アクセス技術指示情報を通知する工程と、
前記移動局が、前記第１無線アクセス技術優先度情報によって指定されている第１無線アクセス技術と前記第２無線アクセス技術優先度情報によって指定されている第２無線アクセス技術とが異なる場合で、かつ、該第１無線アクセス技術と前記無線アクセス技術指示情報によって指定されている第３無線アクセス技術とが一致する場合、該第２無線アクセス技術のセルにおいて待ち受けを行う工程と、
前記移動局が、前記第１無線アクセス技術と前記第２無線アクセス技術とが異なる場合で、かつ、該第１無線アクセス技術と前記第３無線アクセス技術とが一致する場合、該第１無線アクセス技術において待ち受けを行っていると表示する工程とを有することを特徴とする移動通信方法。
【発明の詳細な説明】
【技術分野】
【０００１】
本発明は、移動局及び移動通信方法に関する。
【背景技術】
【０００２】
ＬＴＥ（Ｌｏｎｇ  Ｔｅｒｍ  Ｅｖｏｌｕｔｉｏｎ）方式が導入される前の移動通信システムでは、移動局ＵＥは、「ＮＡＳ（Ｎｏｎ  Ａｃｃｅｓｓ  Ｓｔｒａｔｕｍ）プロトコル」を介して通知された「ＲＡＴ（Ｒａｄｉｏ  Ａｃｃｅｓｓ  Ｔｅｃｈｎｏｌｏｇｙ、無線アクセス技術）優先度情報」に基づいて、どのＲＡＴのセルにおいて待ち受けすべきかについて、或いは、どのＲＡＴのセルにおいて通信すべきかについて決定するように構成されていた。
【特許文献１】特開２００７-２０１９０９号公報
【特許文献２】特開２００４-１８７１０４号公報
【特許文献３】特開２００８-６１０１５号公報
【発明の開示】
【発明が解決しようとする課題】
【０００３】
しかしながら、ＬＴＥ方式の移動通信システムでは、ＮＡＳプロトコルだけではなく、「ＡＳ（Ａｃｃｅｓｓ  Ｓｔｒａｔｕｍ）プロトコル」を介しても、ＲＡＴ優先度情報が、移動局ＵＥに対して通知されることが検討されている。
【０００４】
そのため、移動局ＵＥは、ＮＡＳプロトコルを介して通知されたＲＡＴ優先度情報によって指定されているＲＡＴとＡＳプロトコルを介して通知されたＲＡＴ優先度情報によって指定されているＲＡＴとが異なる場合、どちらのＲＡＴのセルにおいて、待ち受けすべきか或いは通信すべきかについて判断することができないという問題点があった。
【０００５】
そこで、本発明は、上述の課題に鑑みてなされたものであり、異なるＲＡＴを指定する複数のＲＡＴ優先度情報を受信した場合であっても、適切なＲＡＴのセルにおいて待ち受けを行う或いは通信することができる移動局及び移動通信方法を提供することを目的とする。
【課題を解決するための手段】
【０００６】
本発明の第１の特徴は、移動局であって、第１無線アクセス技術優先度情報を記憶するように構成されている記憶部と、無線基地局から第２無線アクセス技術優先度情報及び無線アクセス技術指示情報を受信するように構成されている受信部と、前記第１無線アクセス技術優先度情報によって指定されている第１無線アクセス技術と前記第２無線アクセス技術優先度情報によって指定されている第２無線アクセス技術とが異なる場合で、かつ、該第１無線アクセス技術と前記無線アクセス技術指示情報によって指定されている第３無線アクセス技術とが一致する場合、該第２無線アクセス技術のセルにおいて待ち受けを行うように構成されている待ち受け処理部と、前記第１無線アクセス技術と前記第２無線アクセス技術とが異なる場合で、かつ、該第１無線アクセス技術と前記第３無線アクセス技術とが一致する場合、該第１無線アクセス技術において待ち受けを行っていると表示するように構成されている表示部とを具備することを要旨とする。
【０００７】
本発明の第２の特徴は、移動通信方法であって、第１無線アクセス技術優先度情報を記憶している移動局に対して、第２無線アクセス技術優先度情報及び無線アクセス技術指示情報を通知する工程と、前記移動局が、前記第１無線アクセス技術優先度情報によって指定されている第１無線アクセス技術と前記第２無線アクセス技術優先度情報によって指定されている第２無線アクセス技術とが異なる場合で、かつ、該第１無線アクセス技術と前記無線アクセス技術指示情報によって指定されている第３無線アクセス技術とが一致する場合、該第２無線アクセス技術のセルにおいて待ち受けを行う工程と、前記移動局が、前記第１無線アクセス技術と前記第２無線アクセス技術とが異なる場合で、かつ、該第１無線アクセス技術と前記第３無線アクセス技術とが一致する場合、該第１無線アクセス技術において待ち受けを行っていると表示する工程とを有することを要旨とする。
【発明の効果】
【０００８】
以上説明したように、本発明によれば、異なるＲＡＴを指定する複数のＲＡＴ優先度情報を受信した場合であっても、適切なＲＡＴのセルにおいて待ち受けを行う或いは通信することができる移動局及び移動通信方法を提供することができる。
【発明を実施するための最良の形態】
【０００９】
（本発明の第１の実施形態に係る移動通信システムの構成）
図１及び図２を参照して、本発明の第１の実施形態に係る移動通信システムの構成について説明する。以下、本実施形態では、一例として、３ＧＰＰ  Ｒｅｌｅａｓｅ.８で規定されているＬＴＥ方式が導入されている移動通信システムについて説明する。
【００１０】
図１に示すように、本実施形態に係る移動通信システムでは、ＬＴＥ方式の通信エリアＡ及びＵＭＴＳ方式の通信エリアＢが、一部で地理的に重複するように配置されている。
【００１１】
かかる移動通信システムでは、ＬＴＥ方式の無線基地局ｅＮＢが、配下のセル内の移動局ＵＥに対して、ＡＳプロトコルにおける報知情報によって、第２ＲＡＴ優先度情報（第２ＲＡＴ  Ｐｒｉｏｒｉｔｙ、第２無線アクセス技術優先度情報）を通知するように構成されている。
【００１２】
また、かかる移動通信システムでは、ＬＴＥ方式の無線基地局ｅＮＢが、配下のセル内の移動局ＵＥに対して、ＡＳプロトコルにおける個別シグナリング情報（例えば、ＲＲＣ  ＣＯＮＮＥＣＴＩＯＮ  ＲＥＬＲＥＡＳＥメッセージ）によって、第２ＲＡＴ優先度情報を通知するように構成されている。
【００１３】
ここで、かかる第２ＲＡＴ優先度情報は、移動局ＵＥが優先的に使用すべきＲＡＴを指定するものである。かかる第２ＲＡＴ優先度情報は、移動局ＵＥが優先的に使用すべきＲＡＴとして、１つ又は複数のＲＡＴを指定してもよい。
【００１４】
なお、ＲＡＴは、無線アクセスネットワーク内で用いられる無線通信方式であり、例えば、ＬＴＥ方式やＵＭＴＳ方式やＧＳＭ方式等の無線通信方式を含む。
【００１５】
本実施形態に係る移動局ＵＥは、複数のＲＡＴのセルにおいて、待ち受けを行ったり、通信したりすることができるように構成されている。
【００１６】
図２に示すように、移動局ＵＥは、ＡＳプロトコル機能として、セルサーチ部１１と、待ち受け処理部１２と、受信部１３とを具備している。
【００１７】
また、移動局ＵＥは、ＮＡＳプロトコル機能として、位置登録制御部２１と、ＰＬＭＮ（Ｐｕｂｌｉｃ  Ｌａｎｄ  Ｍｏｂｉｌｅ  Ｎｅｔｗｏｒｋ）選択部２２と、記憶部２３と、判断部２４とを具備している。さらに、移動局ＵＥは、表示部３１を具備している。
【００１８】
セルサーチ部１１は、所定トリガで、セルサーチ処理を行うように構成されている。
【００１９】
待ち受け処理部１２は、判断部２４からの指示を受信するまでの間、セルサーチ部１１によって捕捉されたセルにおいて、一時的に待ち受けを行うように構成されている。かかる場合、移動局ＵＥは、３ＧＰＰで規定されている「ａｎｙ  ｃｅｌｌ  ｃａｍｐ  ｏｎ状態」であり、位置登録処理を行うことなく、セルにおいて待ち受けを行っている状態である。
【００２０】
また、待ち受け処理部１２は、判断部２４からの通知に応じて、複数のＲＡＴのセルのうち、待ち受けを行うＲＡＴのセルを選択するように構成されている。
【００２１】
例えば、待ち受け処理部１２は、判断部２４によって、後述する第１ＲＡＴ優先度情報（第１ＲＡＴ  Ｐｒｉｏｒｉｔｙ、第１無線アクセス技術優先度情報）によって指定されている第１ＲＡＴ（第１無線アクセス技術）と第２ＲＡＴ優先度情報によって指定されている第２ＲＡＴ（第２無線アクセス技術）とが異なり、かつ、第１ＲＡＴとＲＡＴ指示情報（ＲＡＴ  Ｉｎｄｉｃａｔｏｒ、無線アクセス技術指示情報）によって指定されている第３ＲＡＴ（第３無線アクセス技術）とが一致すると通知された場合、第２ＲＡＴのセルにおいて待ち受けを行うように構成されている。
【００２２】
ここで、ＲＡＴ指示情報は、移動局ＵＥの通信開始時における「接続先再選択指示（Ｒｅ-ｄｉｒｅｃｔｉｏｎ）処理」の対象のＲＡＴを指定するものである。なお、接続先再選択指示処理は、３ＧＰＰに規定されている処理であり、移動局ＵＥによって送信された通信開始要求に係るＲＡＴとは異なる種類のＲＡＴにて当該移動局ＵＥに通信を開始させる処理であり、例えば、ＵＭＴＳ方式の通信開始要求を送信した移動局ＵＥに対して、ＬＴＥ方式の通信を開始させる処理である。
【００２３】
より具体的には、待ち受け処理部１２は、判断部２４によって、第１ＲＡＴと第２ＲＡＴとが異なり、第１ＲＡＴと第３ＲＡＴとが一致し、かつ、第２ＲＡＴに対応する移動通信システムが使用不能でないと通知された場合に、第２ＲＡＴのセルにおいて待ち受けを行うように構成されていてもよい。
【００２４】
なお、待ち受け処理部１２は、判断部２４によって、第１ＲＡＴと第２ＲＡＴとが同一であると通知された場合、第１ＲＡＴ（或いは、第２ＲＡＴ）のセルにおいて待ち受けを行うように構成されている。
【００２５】
受信部１３は、セルサーチ部１１によって捕捉されたセルにおいて送信されている報知情報を受信するように構成されている。例えば、受信部１３は、ＬＴＥ方式の無線基地局ｅＮＢから、ＢＣＨ（Ｂｒｏａｄｃａｓｔ  Ｃｈａｎｎｅｌ）を介して送信された報知情報を受信するように構成されている。
【００２６】
また、受信部１３は、受信した報知情報から、セル識別情報や位置登録エリア情報や第２ＲＡＴ優先度情報やＲＡＴ指示情報を抽出し、判断部２４に送信するように構成されている。
【００２７】
また、受信部１３は、個別シグナリング情報を受信するように構成されている。例えば、受信部１３は、音声通信等の終了時に、ＲＲＣ  ＣＯＮＮＥＣＴＩＯＮ  ＲＥＬＲＥＡＳＥメッセージを受信するように構成されている。
【００２８】
受信部１３は、受信した個別シグナリング情報から、セル識別情報や位置登録エリア情報や第２ＲＡＴ優先度情報やＲＡＴ指示情報を抽出し、判断部２４に送信するように構成されている。
【００２９】
位置登録制御部２１は、判断部２４によって、移動局ＵＥの位置登録エリアが変更になることが通知された場合に、かかる通知に係る移動局についての位置登録処理を行うように構成されている。
【００３０】
ＰＬＭＮ選択部２２は、判断部２４によって、移動局ＵＥが待ち受けを行うセルのＲＡＴが変更になること及び当該ＲＡＴに対応する移動通信システムが使用不能でないことが通知された場合に、かかる通知に係る移動局についての「ＰＬＭＮ選択処理（ＰＬＭＮ  Ｓｅｌｅｃｔｉｏｎ）」を行うように構成されている。
【００３１】
記憶部２３は、上述の第１ＲＡＴ優先度情報を記憶するように構成されている。かかる第１ＲＡＴ優先度情報は、移動局ＵＥが優先的に使用すべきＲＡＴを指定するものである。かかる第２ＲＡＴ優先度情報は、移動局ＵＥが優先的に使用すべきＲＡＴとして、１つ又は複数のＲＡＴを指定してもよい。
【００３２】
記憶部２３は、ＮＡＳプロトコルを介してネットワーク（例えば、交換局）によって指示された第１ＲＡＴ優先度情報を管理するように構成されていてもよいし、ユーザによって指示された第１ＲＡＴ優先度情報を管理するように構成されていてもよい。
【００３３】
例えば、記憶部２３は、ＵＳＩＭ（Ｕｓｅｒ  Ｓｕｂｓｃｒｉｂｅｒ  Ｉｄｅｎｔｉｔｙ  Ｍｏｄｕｌｅ）によって構成されており、ユーザによって指示された第１ＲＡＴ優先度情報については、ＵＳＩＭ内のＥＦＰＬＭＮｗＡｃＴ（Ｕｓｅｒ  ｃｏｎｔｒｏｌｌｅｄ  ＰＬＭＮ  ｓｅｌｅｃｔｏｒ  ｗｉｔｈ  Ａｃｃｅｓｓ  Ｔｅｃｈｎｏｌｏｇｙ）に書き込むように構成されており、ネットワーク（例えば、交換局）によって指示された第１ＲＡＴ優先度情報については、ＵＳＩＭ内のＥＦＯＰＬＭＮｗＡｃＴ（Ｏｐｅｒａｔｏｒ  ｃｏｎｔｒｏｌｌｅｄ  ＰＬＭＮ  ｓｅｌｅｃｔｏｒ  ｗｉｔｈ  Ａｃｃｅｓｓ  Ｔｅｃｈｎｏｌｏｇｙ）に書き込むように構成されている。
【００３４】
判断部２４は、上述の第１ＲＡＴと第２ＲＡＴとが同一であるか否か、及び、上述の第１ＲＡＴと第３ＲＡＴとが同一であるか否かについて判断し、かかる判断結果について、位置登録制御部２１やＰＬＭＮ選択部２２や表示部３１や待ち受け処理部１２に通知するように構成されている。
【００３５】
また、判断部２４は、移動局ＵＥの位置登録エリアが変更になるか否か、移動局ＵＥが待ち受けを行うセルのＲＡＴが変更になるか否か、当該ＲＡＴに対応する移動通信システムが使用不能であるか否か等について判断し、かかる判断結果について、位置登録制御部２１やＰＬＭＮ選択部２２や表示部３１や待ち受け処理部１２に通知するように構成されている。
【００３６】
表示部３１は、判断部２４によって、第１ＲＡＴと第２ＲＡＴとが異なる場合で、かつ、第１ＲＡＴと第３ＲＡＴとが一致する場合、第１ＲＡＴにおいて待ち受けを行っていると表示するように構成されている。
【００３７】
例えば、表示部３１は、第１ＲＡＴにおいて待ち受けを行っているという表示を、画面上で行っていてもよいし、音声によって行ってもよい。
【００３８】
（本発明の第１の実施形態に係る移動通信システムの動作）
図３を参照して、本発明の第１の実施形態に係る移動通信システムの動作、具体的には、移動局ＵＥの動作について説明する。
【００３９】
図３に示すように、ステップＳ１０１において、移動局ＵＥのセルサーチ部１１が、所定トリガで、セルサーチを行う。
【００４０】
セルサーチ部１１が、周辺セルにおける報知情報を捕捉することができなかった場合（ステップＳ１０２）、移動局ＵＥの待ち受け処理部１２は、待ち受けセルを変更しない（ステップＳ１０３）。
【００４１】
一方、セルサーチ部１１が、周辺セルにおける報知情報を捕捉することができた場合（ステップＳ１０２）、ステップＳ１０４において、移動局ＵＥの受信部１３が、セルサーチ部１１によって捕捉された周辺セルの報知情報を受信して解析する。ここで、待ち受け処理部１２は、かかる周辺セルにおいて待ち受けを行ってもよい。
【００４２】
ステップＳ１０５において、移動局ＵＥの判断部２４が、報知情報に含まれる「第２ＲＡＴ優先度情報（第２ＲＡＴ  Ｐｒｉｏｒｉｔｙ）」によって指定されている第２ＲＡＴと、移動局ＵＥの記憶部２３に記憶されている「第１ＲＡＴ優先度情報（第１ＲＡＴ  Ｐｒｉｏｒｉｔｙ）」によって指定されている第１ＲＡＴとが同一であるか否かについて判断する。
【００４３】
第１ＲＡＴと第２ＲＡＴとが同一であると判断された場合、ステップＳ１０６において、待ち受け処理部１２は、第１ＲＡＴ（或いは、第２ＲＡＴ）のセルにおいて待ち受けを行い、移動局ＵＥの表示部３１は、第１ＲＡＴ（或いは、第２ＲＡＴ）のセルにおいて待ち受けを行っていると表示する。
【００４４】
一方、第１ＲＡＴと第２ＲＡＴとが異なると判断された場合、ステップＳ１０７において、判断部２４が、第１ＲＡＴと、報知情報に含まれる「ＲＡＴ指示情報（ＲＡＴ  Ｉｎｄｉｃａｔｏｒ）」によって指定されている第３ＲＡＴとが同一であるか否かについて判断する。
【００４５】
第１ＲＡＴと第３ＲＡＴとが異なると判断された場合、ステップＳ１０８において、待ち受け処理部１２は、第１ＲＡＴのセルにおいて待ち受けを行い、表示部３１は、第２ＲＡＴ（或いは、第３ＲＡＴ）のセルにおいて待ち受けを行っていると表示する。
【００４６】
一方、第１ＲＡＴと第３ＲＡＴとが同一であると判断された場合、ステップＳ１０９において、待ち受け処理部１２は、第１ＲＡＴ（或いは、第３ＲＡＴ）のセルにおいて待ち受けを行い、表示部３１は、第１ＲＡＴ（或いは、第３ＲＡＴ）のセルにおいて待ち受けを行っていると表示する。
【００４７】
以上に述べた本実施形態の特徴は、以下のように表現されていてもよい。
【００４８】
本実施形態の第１の特徴は、移動局であって、第１無線アクセス技術優先度情報を記憶するように構成されている記憶部２３と、無線基地局から第２無線アクセス技術優先度情報及び無線アクセス技術指示情報を受信するように構成されている受信部１３と、前記第１無線アクセス技術優先度情報によって指定されている第１無線アクセス技術と前記第２無線アクセス技術優先度情報によって指定されている第２無線アクセス技術とが異なる場合で、かつ、該第１無線アクセス技術と前記無線アクセス技術指示情報によって指定されている第３無線アクセス技術とが一致する場合、該第２無線アクセス技術のセルにおいて待ち受けを行うように構成されている待ち受け処理部１２と、前記第１無線アクセス技術と前記第２無線アクセス技術とが異なる場合で、かつ、該第１無線アクセス技術と前記第３無線アクセス技術とが一致する場合、該第１無線アクセス技術において待ち受けを行っていると表示するように構成されている表示部３１とを具備することを要旨とする。
【００４９】
本実施形態の第１の特徴において、前記待ち受け処理部１２は、前記第１無線アクセス技術と前記第２無線アクセス技術とが異なる場合で、該第１無線アクセス技術と前記第３無線アクセス技術とが一致する場合で、かつ、該第２無線アクセス技術に対応する移動通信システムが使用不能でない場合に、該第２無線アクセス技術のセルにおいて待ち受けを行うように構成されていてもよい。
【００５０】
本実施形態の第１の特徴において、前記受信部１３は、報知情報或いは個別シグナリング情報を介して、前記第２無線アクセス技術優先度情報及び前記無線アクセス技術指示情報を受信するように構成されていてもよい。
【００５１】
本実施形態の第１の特徴において、前記記憶部２３は、交換局からの指示或いはユーザによる指示に基づいて、前記第１無線アクセス技術優先度情報を記憶するように構成されていてもよい。
【００５２】
本実施形態の第２の特徴は、移動通信方法であって、第１無線アクセス技術優先度情報を記憶している移動局に対して、第２無線アクセス技術優先度情報及び無線アクセス技術指示情報を通知する工程と、前記移動局が、前記第１無線アクセス技術優先度情報によって指定されている第１無線アクセス技術と前記第２無線アクセス技術優先度情報によって指定されている第２無線アクセス技術とが異なる場合で、かつ、該第１無線アクセス技術と前記無線アクセス技術指示情報によって指定されている第３無線アクセス技術とが一致する場合、該第２無線アクセス技術のセルにおいて待ち受けを行う工程と、前記移動局が、前記第１無線アクセス技術と前記第２無線アクセス技術とが異なる場合で、かつ、該第１無線アクセス技術と前記第３無線アクセス技術とが一致する場合、該第１無線アクセス技術において待ち受けを行っていると表示する工程とを有することを要旨とする。
【００５３】
（本発明の第１の実施形態に係る移動通信システムの作用・効果）
本発明の第１の実施形態に係る移動通信システムによれば、移動局ＵＥの待ち受け処理部１２が、ＵＭＴＳ方式のセルにおいて待ち受けを行っており、移動局ＵＥの記憶部２３に記憶されている第１ＲＡＴが「ＬＴＥ方式」となっている前提において、報知情報に含まれている第２ＲＡＴ優先度情報（第２ＲＡＴ  Ｐｒｉｏｒｉｔｙ）によって指定されている第２ＲＡＴが「ＵＭＴＳ方式」であり、報知情報に含まれているＲＡＴ指示情報（ＲＡＴ  Ｉｎｄｉｃａｔｏｒ）によって指定されている第３ＲＡＴが「ＬＴＥ方式」である場合には、待ち受け処理部１２は、通信開始時に、接続先再選択指示処理によって、ＬＴＥ方式のセルに接続されることが保証されているものと看做し、ＬＴＥ方式のセルにおける待ち受けを行わない。
【００５４】
かかる場合に、表示部３１が、「ＬＴＥ方式」のセルにおいて待ち受けを行っていると表示することで、ユーザに対して安心感を与えることができる。
【００５５】
また、本発明の第１の実施形態に係る移動通信システムによれば、移動局ＵＥが、ＬＴＥ方式のセルにおける通信の終了時に、ＲＲＣ  ＣＯＮＮＥＣＴＩＯＮ  ＲＥＬＥＡＳＥメッセージを介して、第２ＲＡＴ優先度情報及びＲＡＴ指示情報を受信した場合で、第２ＲＡＴ優先度情報によって指定されている第２ＲＡＴが「ＵＭＴＳ方式」であり、ＲＡＴ指示情報によって指定されている第３ＲＡＴが「ＬＴＥ方式」である場合には、待ち受け処理部１２は、通信開始時に、接続先再選択指示処理によって、ＬＴＥ方式のセルに接続されることが保証されているものと看做し、ＬＴＥ方式のセルにおける待ち受けを行わない。
【００５６】
かかる場合にも、表示部３１が、「ＬＴＥ方式」のセルにおいて待ち受けを行っていると表示することで、ユーザに対して安心感を与えることができる。
【００５７】
また、本発明の第１の実施形態に係る移動通信システムによれば、ＬＴＥ方式の移動通信システムにおいて、ＮＡＳプロトコルを介して通知された第１ＲＡＴ優先度情報によって指定されている第１ＲＡＴと、ＡＳプロトコルを介して通知された第１ＲＡＴ優先度情報によって指定されている第２ＲＡＴとが異なる場合であっても、ＮＡＳプロコルによって通知された第１ＲＡＴを生かしつつ、ＡＳプロトコルによって通知された第２ＲＡＴ及び第３ＲＡＴを尊重することが可能となる。その結果、ユーザビリティの低下を防ぎつつ、無線アクセスネットワークにおける利用効率の向上等に寄与することが可能となる。
【００５８】
また、本発明の第１の実施形態に係る移動通信システムによれば、第１ＲＡＴと第２ＲＡＴとが異なる場合であっても、移動局ＵＥは、第１ＲＡＴのセルと第２ＲＡＴのセルとの間で、待ち受けセルを繰り返し切り替えなければならないという事態を回避することができる。
【００５９】
なお、ユーザは、第１ＲＡＴのセルにおいて通信を行うことができればよい。例えば、ＬＴＥ方式において高速なパケット通信を享受したいユーザであれば、第１ＲＡＴとして「ＬＴＥ方式」と設定することが想定されるが、かかる場合であっても、ユーザは、ＬＴＥ方式のセルにおいて通信を行うことができればよいのであって、どのＲＡＴのセルにおいて待ち受けを行うかについては意識する必要はない。つまり、ＬＴＥ方式のセルにおいて通信を行うことができれば、当該ユーザやネットワーク（交換局）の意向を保証することができる。
【００６０】
（変更例）
なお、上述の移動局ＵＥの動作は、ハードウェアによって実施されてもよいし、プロセッサによって実行されるソフトウェアモジュールによって実施されてもよいし、両者の組み合わせによって実施されてもよい。
【００６１】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００６２】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、移動局ＵＥ内に設けられていてもよい。また、かかる記憶媒体及びプロセッサは、ディスクリートコンポーネントとして移動局ＵＥ内に設けられていてもよい。
【００６３】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【図面の簡単な説明】
【００６４】
【図１】本発明の第１の実施形態に係る移動通信システムの全体構成図である。
【図２】本発明の第１の実施形態に係る移動局の機能ブロック図である。
【図３】本発明の第１の実施形態に係る移動局の動作を示すフローチャートである。
【符号の説明】
【００６５】
ＵＥ…移動局
１１…セルサーチ部
１２…待ち受け処理部
１３…受信部
２１…位置登録制御部
２２…ＰＬＭＮ選択部
２３…記憶部
２４…判断部
３１…表示部
【図１】
2010028238.tif 000003
【図２】
2010028238.tif 000004
【図３】
2010028238.tif 000005